(57)【要約】【課題】複数の非接触通信ユニットを搭載する場合、電磁誘導アンテナユニットを追加実装することなく、通信性能を向上することのできる携帯端末を提供すること。【解決手段】携帯端末１００は、第１の筐体１０１内に備えられた第１の非接触通信ユニット１０４と、第２の筐体１０２内に備えられた第２の非接触通信ユニット１０５とを有する。非接触通信ユニット１０５が非接触通信ユニット検出器１１０と非接触通信を行うときに、非接触通信ユニット１０４は、非接触通信ユニット１０４の切替え手段を切替えることにより、非接触通信ユニット１０５の電磁誘導アンテナユニットとして動作する。【選択図】図１
2006333192.tif 000002
【特許請求の範囲】
【請求項１】
第１の非接触通信ユニットと、第２の非接触通信ユニットとを備え、
前記第１の非接触通信ユニットは、
第１のアンテナ素子と、
前記第１のアンテナ素子に接続される第１の非接触半導体素子と、
前記第１のアンテナ素子に接続される第１の同調素子と、
第１の切替え手段とを有し、
前記第２の非接触通信ユニットは、
第２のアンテナ素子と、
前記第２のアンテナ素子に接続された第２の非接触半導体素子とを有し、
前記第１の切替え手段は、一端側が前記第１のアンテナ素子に接続されており、他端側が前記第１のアンテナ素子に対し前記第１の非接触半導体素子と前記第１の同調素子とに切替え接続されることを特徴とする非接触通信装置。
【請求項２】
前記第２の非接触通信ユニットは、
前記第２のアンテナ素子に接続される第２の同調素子と、
前記第２のアンテナ素子の切替え接続先を前記第２の非接触半導体素子または前記第２の同調素子とする第２の切替え手段とを有し、
前記第２の切替え手段は、一端側が前記第２のアンテナ素子に接続されており、他端側が前記第２のアンテナ素子に対し前記第２の非接触半導体素子と前記第２の同調素子とに切替え接続されることを特徴とする請求項１に記載の非接触通信装置。
【請求項３】
前記非接触通信装置が携帯端末であることを特徴とする請求項１または２に記載の非接触通信装置。
【請求項４】
前記携帯端末が第１の筐体と第２の筐体とを連結した携帯端末であって、前記第１の筐体と前記第２の筐体とを閉じたときに、前記第１の筐体の内部に、前記第１の筐体の外面側に位置するように前記第１の非接触通信ユニットを備え、前記第２の筐体の内部に、前記第２の筐体の外面側に位置するように前記第２の非接触通信ユニットを備えたことを特徴とする請求項３に記載の非接触通信装置。
【請求項５】
前記携帯端末が筐体を有する直線形状の携帯端末であって、前記筐体の内部に、前記筐体の一方の面側に位置するように前記第１の非接触通信ユニットを、前記一方の面と対向する他方の面側に位置するように前記第２の非接触通信ユニットをそれぞれ備えたことを特徴とする請求項３に記載の非接触通信装置。
【請求項６】
前記携帯端末が第１の筐体と第２の筐体とを連結した携帯端末であって、前記第１の筐体と前記第２の筐体とを閉じたときに、前記第１の筐体および前記第２の筐体のいずれかの内部に、前記第１の筐体または前記第２の筐体の外面側に位置するように前記第１の非接触通信ユニットおよび前記第２の非接触通信ユニットを備えたことを特徴とする請求項３に記載の非接触通信装置。
【請求項７】
前記携帯端末が筐体を有する直線形状の携帯端末であって、前記筐体の内部に、前記筐体の一方の面側または前記一方の面と対向する他方の面側に位置するように、前記第１の非接触通信ユニットおよび前記第２の非接触通信ユニットをそれぞれ備えたことを特徴とする請求項３に記載の非接触通信装置。
【請求項８】
前記第１の切替え手段および前記第２の切替え手段が機械式スイッチであることを特徴とする請求項３に記載の非接触通信装置。
【請求項９】
前記携帯端末は、
目視可能な個所に搭載され、前記第１の非接触通信ユニットおよび前記第２の非接触通信ユニットの切替え状態を表示する表示手段と、
操作手段とを有し、
前記操作手段により前記第１の非接触通信ユニットまたは前記第２の非接触通信ユニットの選択を行うことを特徴とする請求項３に記載の非接触通信装置。
【請求項１０】
前記携帯端末は、
音を発する音鳴動手段を有し、
前記音鳴動手段により前記第１の非接触通信ユニットまたは前記第２の非接触通信ユニットの選択状態を報知することを特徴とする請求項３または９に記載の非接触通信装置。
【発明の詳細な説明】
【技術分野】
【０００１】
本発明は、アンテナ素子を搭載した非接触通信装置に関するものである。
【背景技術】
【０００２】
非接触通信装置では携帯端末等の分野において、多機能化のために非接触ＩＣ等の非接触通信ユニットを備えたものがある。このような携帯端末は、鉄道の定期券、クレジットカード、社員証等種々の用途に使用されている。
【０００３】
従来の携帯端末は、非接触半導体素子とアンテナ素子とを有する非接触通信ユニットを搭載し、非接触通信ユニットによる電磁誘導を用いて非接触通信ユニット検出器と非接触通信により情報の送受信を行っている。
【０００４】
携帯端末に搭載する非接触通信ユニットは、携帯端末の大きさの制約により小型であることが求められるため、非接触通信ユニット検出器と非接触通信ユニットのアンテナ素子との間を、電磁誘導アンテナユニットを介して送受信することで、実効的なアンテナ素子の面積が広がる効果を得て、通信性能を向上させている（特許文献１参照）。
【特許文献１】特開２００４−２９８７３号公報
【発明の開示】
【発明が解決しようとする課題】
【０００５】
しかしながら、従来の携帯端末においては、非接触モジュールが内蔵されている表面側では、非接触通信ユニットと非接触通信ユニット検出器との通信性能を低下させることなく通信可能であるが、裏面側では携帯端末内の金属部品が磁界の通過を阻止することにより通信性能が低下するという課題があった。このような課題に対し、裏面側に電磁誘導アンテナユニットを搭載した場合、電磁誘導アンテナユニットの適用により通信性能を向上させることができる。しかし、非接触通信ユニットにはいくつかの規格があるため、今後携帯端末に複数の非接触通信ユニットを搭載する必要がある。携帯端末に２種類の非接触通信ユニットを搭載すると、電磁誘導アンテナユニットを余分に搭載することとなり、携帯端末の容積が大きくなってしまう。
【０００６】
本発明は、従来の問題を解決するためになされたもので、比較的小容量で複数の非接触通信ユニットを搭載することのできる非接触通信装置を提供することを目的とする。
【課題を解決するための手段】
【０００７】
本発明の非接触通信装置は、第１の非接触通信ユニットと、第２の非接触通信ユニットとを備え、前記第１の非接触通信ユニットは、第１のアンテナ素子と、前記第１のアンテナ素子に接続される第１の非接触半導体素子と、前記第１のアンテナ素子に接続される第１の同調素子と、第１の切替え手段とを有し、前記第２の非接触通信ユニットは、第２のアンテナ素子と、前記第２のアンテナ素子に接続された第２の非接触半導体素子とを有し、前記第１の切替え手段は、一端側が前記第１のアンテナ素子に接続されており、他端側が前記第１のアンテナ素子に対し前記第１の非接触半導体素子と前記第１の同調素子とに切替え接続される構成を有している。
【０００８】
この構成により、第２の非接触通信ユニットと非接触通信ユニット検出器とで非接触通信を行う場合、第１の非接触通信ユニットにおける第１のアンテナ素子を第１の切替え手段により第１の同調素子と接続する。これにより、第１のアンテナ素子は、第１の同調素子との接続によって第２の非接触通信ユニットの電磁誘導アンテナユニットとして動作する。このように、第１の非接触通信ユニットを第２の非接触通信ユニットの電磁誘導アンテナユニットとして使用することで、第１および第２のアンテナ素子が電磁結合し、通信性能が向上することとなる。
【０００９】
本発明の非接触通信装置は、前記第２の非接触通信ユニットは、前記第２のアンテナ素子に接続される第２の同調素子と、前記第２のアンテナ素子の切替え接続先を前記第２の非接触半導体素子または前記第２の同調素子とする第２の切替え手段とを有し、前記第２の切替え手段は、一端側が前記第２のアンテナ素子に接続されており、他端側が前記第２のアンテナ素子に対し前記第２の非接触半導体素子と前記第２の同調素子とに切替え接続される構成を有している。
【００１０】
この構成により、第２の非接触通信ユニットと非接触通信ユニット検出器とで通信を行う場合、第１の非接触通信ユニットにおける第１のアンテナ素子を第１の切替え手段により第１の同調素子と接続する。一方、第２の非接触通信ユニットにおける第２のアンテナ素子を第２の切替え手段により第２の非接触半導体素子と接続する。これにより、第１のアンテナ素子は、第１の同調素子との接続によって第２の非接触通信ユニットの電磁誘導アンテナユニットとして動作する。このように、第１の非接触通信ユニットを第２の非接触通信ユニットの電磁誘導アンテナユニットとして使用することで、第１および第２のアンテナ素子が電磁結合し、通信性能が向上することとなる。
【００１１】
さらに、この構成により、第１の非接触通信ユニットと非接触通信ユニット検出器とで通信を行う場合、第２の非接触通信ユニットにおける第２のアンテナ素子を第２の切替え手段により第２の同調素子と接続する。一方、第１の非接触通信ユニットにおける第１のアンテナ素子を第１の切替え手段により第１の非接触半導体素子と接続する。これにより、第２のアンテナ素子は、第２の同調素子との接続によって第１の非接触通信ユニットの電磁誘導アンテナユニットとして動作する。このように、第２の非接触通信ユニットを第１の非接触通信ユニットの電磁誘導アンテナユニットとして使用することで、第１および第２のアンテナ素子が電磁結合し、通信性能が向上することとなる。
【００１２】
本発明の非接触通信装置は、前記非接触通信装置が携帯端末である構成を有している。
【００１３】
この構成により、第２の非接触通信ユニットと非接触通信ユニット検出器とで通信を行う場合、第１の非接触通信ユニットにおける第１のアンテナ素子を第１の切替え手段により第１の同調素子と接続する。これにより、第１のアンテナ素子は、第１の同調素子との接続によって第２の非接触通信ユニットの電磁誘導アンテナユニットとして動作する。このように、第１の非接触通信ユニットを第２の非接触通信ユニットの電磁誘導アンテナユニットとして使用することで、第１および第２のアンテナ素子が電磁結合し、通信性能が向上することとなる。
【００１４】
本発明の非接触通信装置は、前記携帯端末が第１の筐体と第２の筐体とを連結した携帯端末であって、前記第１の筐体と前記第２の筐体とを閉じたときに、前記第１の筐体の内部に、前記第１の筐体の外面側に位置するように前記第１の非接触通信ユニットを備え、前記第２の筐体の内部に、前記第２の筐体の外面側に位置するように前記第２の非接触通信ユニットを備えた構成を有している。
【００１５】
この構成により、第１および第２の非接触通信ユニットが電磁誘導アンテナユニットとして作用するため、第１の筐体側および第２の筐体側の両面での通信性能が向上する。また、第１および第２の非接触通信ユニット各々に電磁誘導アンテナユニットを追加実装せずに通信性能が向上するため、非接触通信装置への非接触通信ユニットの実装量を最小限に抑えることができる。
【００１６】
本発明の非接触通信装置は、前記携帯端末が筐体を有する直線形状の携帯端末であって、前記筐体の内部に、前記筐体の一方の面側に位置するように前記第１の非接触通信ユニットを、前記一方の面と対向する他方の面側に位置するように前記第２の非接触通信ユニットをそれぞれ備えた構成を有している。
【００１７】
この構成により、第１および第２の非接触通信ユニットが電磁誘導アンテナユニットとして作用するため、筐体の一方の面側および一方の面と対向する他方の面側での通信性能が向上する。また、第１および第２の非接触通信ユニット各々に電磁誘導アンテナユニットを追加実装せずに通信性能が向上するため、非接触通信装置への非接触通信ユニットの実装量を最小限に抑えることができる。
【００１８】
本発明の非接触通信装置は、前記携帯端末が第１の筐体と第２の筐体とを連結した携帯端末であって、前記第１の筐体と前記第２の筐体とを閉じたときに、前記第１の筐体および前記第２の筐体のいずれかの内部に、前記第１の筐体または前記第２の筐体の外面側に位置するように前記第１の非接触通信ユニットおよび前記第２の非接触通信ユニットを備えた構成を有している。
【００１９】
この構成により、第１および第２の非接触通信ユニットが電磁誘導アンテナユニットとして作用するため、第１の筐体側および第２の筐体側の両方での通信性能が向上する。また、第１および第２の非接触通信ユニット各々に電磁誘導アンテナユニットを追加実装せずに通信性能が向上するため、非接触通信装置への非接触通信ユニットの実装量を最小限に抑えることができる。さらに、非接触通信装置の薄型化を実現することができる。
【００２０】
本発明の非接触通信装置は、前記携帯端末が筐体を有する直線形状の携帯端末であって、前記筐体の内部に、前記筐体の一方の面側または前記一方の面と対向する他方の面側に位置するように、前記第１の非接触通信ユニットおよび前記第２の非接触通信ユニットをそれぞれ備えた構成を有している。
【００２１】
この構成により、第１および第２の非接触通信ユニットが電磁誘導アンテナユニットとして作用するため、筐体の一方の面側および他方の面側の両方での通信性能が向上する。また、第１および第２の非接触通信ユニット各々に電磁誘導アンテナユニットを追加実装せずに通信性能が向上するため、非接触通信装置への非接触通信ユニットの実装量を最小限に抑えることができる。さらに、非接触通信装置の薄型化を実現することができる。
【００２２】
本発明の非接触通信装置は、前記第１の切替え手段および前記第２の切替え手段が機械式スイッチである構成を有している。
【００２３】
この構成により、第１および第２の非接触通信ユニットをスイッチ一つで切替えることができる。
【００２４】
本発明の非接触通信装置は、前記携帯端末が、目視可能な個所に搭載され、前記第１の非接触通信ユニットおよび前記第２の非接触通信ユニットの切替え状態を表示する表示手段と、操作手段とを有し、前記操作手段により前記第１の非接触通信ユニットまたは前記第２の非接触通信ユニットの選択を行う構成を有している。
【００２５】
この構成により、第１および第２の非接触通信ユニットを表示手段にて視覚的に確認しながら切替えることができる。
【００２６】
本発明の非接触通信装置は、前記携帯端末が音を発する音鳴動手段を有し、前記音鳴動手段により前記第１の非接触通信ユニットまたは前記第２の非接触通信ユニットの選択状態を報知する構成を有している。
【００２７】
この構成により、第１および第２の非接触通信ユニットの切替え状態を音や表示により報知することができる。
【発明の効果】
【００２８】
本発明は、第１および第２の非接触通信ユニットを搭載し、使用していない非接触通信ユニットを電磁誘導アンテナユニットとして使用し、比較的小容量で第１および第２の非接触通信ユニットを搭載するという効果を有する非接触通信装置を提供することができるものである。
【発明を実施するための最良の形態】
【００２９】
以下に、本発明の実施の形態について、図面を参照しながら説明する。
【００３０】
（実施の形態１）
本発明の実施の形態１について、折畳形状の携帯端末を例にして図１を用いて説明する。
【００３１】
図１は、本発明の実施の形態１の携帯端末の断面図である。図２は、本発明の実施の形態１の携帯端末の非接触通信ユニットと他の非接触通信ユニットとの電気回路図である。
【００３２】
図１に示すように、本発明の実施の形態の携帯端末１００は、第１の筐体１０１、第２の筐体１０２およびヒンジ部１０３を有している。第１の筐体１０１は、操作手段（図示せず）を備え、内部に第１の非接触通信ユニット１０４を有している。また、第２の筐体１０２は、液晶等の表示手段（図示せず）を備え、内部に第２の非接触通信ユニット１０５を有している。
【００３３】
ヒンジ部１０３は、筐体１０１と筐体１０２とを連結するものである。
【００３４】
非接触通信ユニット１０４は、筐体１０１と筐体１０２とを閉じたときに、筐体１０１の内部に、筐体１０１の外側に位置するように備えられている。
【００３５】
また、非接触通信ユニット１０５は、筐体１０１と筐体１０２を閉じたときに、筐体１０２の内部に、筐体１０２の外側に位置するように備えられている。
【００３６】
このような携帯端末１００は、非接触通信ユニット検出器１１０と非接触通信を行う。
【００３７】
次に、携帯端末１００の非接触通信ユニット１０４と非接触通信ユニット１０５との電気的接続について、図２を用いて説明する。
【００３８】
図２に示すように、第１の非接触通信ユニット１０４は、第１の非接触ＩＣチップ２０１等から構成される第１の非接触半導体素子、第１のアンテナ素子２０２、第１の同調素子２０３および第１の切替え手段２０４から構成されている。
【００３９】
また、非接触通信ユニット１０５は、第２の非接触ＩＣチップ２０５等から構成される第２の非接触半導体素子および第２のアンテナ素子２０６から構成されている。
【００４０】
非接触ＩＣチップ２０１は、非接触通信ユニット検出器１１０と非接触通信を行うものである。
【００４１】
アンテナ素子２０２は、平面状に導線が巻線されたループコイルと、このループコイルに並列に接続されたコンデンサとを有しており、非接触ＩＣチップ２０１が非接触通信ユニット検出器１１０と非接触通信するときのアンテナの役割をするものである。
【００４２】
同調素子２０３は、非接触通信ユニット１０５が非接触通信ユニット検出器１１０と非接触通信をするときに、アンテナ素子２０２と接続され、非接触通信ユニット１０４が非接触通信ユニット１０５の電磁誘導アンテナユニットとして作用するものである。ここで、電磁誘導アンテナユニットとは、アンテナ素子と同調素子とを接続した構成を有しており、電磁結合により非接触通信ユニットと非接触通信ユニット検出器との通信性能を向上することができる。
【００４３】
切替え手段２０４は、非接触通信ユニット１０４と非接触通信ユニット１０５とを切替えるものである。すなわち、切替え手段２０４は、一端側がアンテナ素子２０２に接続されており、他端側がアンテナ素子２０２に対し非接触ＩＣチップ２０５と同調素子２０３とに切替え接続される。ここで、切替え手段２０４は、ハードウェアとしてのスイッチを用いても良いし、ソフトウェアとしての設定で実現しても良い。
【００４４】
非接触通信ユニット１０４が非接触通信ユニット検出器１１０と非接触通信を行うときには、切替え手段２０４は、接点ａ側に切替えられて、アンテナ素子２０２と非接触ＩＣチップ２０１とを接続する。
【００４５】
一方、非接触通信ユニット１０５が非接触通信ユニット検出器１１０と非接触通信を行うときには、切替え手段２０４は、接点ｂ側に切替えられて、アンテナ素子２０２と同調素子２０３とを接続し、これによって非接触通信ユニット１０４は、非接触通信ユニット１０５の電磁誘導アンテナユニットとして作用するため、非接触通信ユニット１０５と非接触通信ユニット検出器１１０との通信性能を向上させる。
【００４６】
非接触ＩＣチップ２０５は、非接触通信ユニット検出器１１０と非接触通信を行うものである。
【００４７】
アンテナ素子２０６は、平面状に導線が巻線されたループコイルと、このループコイルに並列に接続されたコンデンサとを有しており、非接触ＩＣチップ２０５が非接触通信ユニット検出器１１０と非接触通信するときのアンテナの役割をするものである。
【００４８】
次に、携帯端末１００を用いて、非接触通信ユニット１０５と非接触通信ユニット検出器１１０との非接触通信を行う場合について説明する。
【００４９】
通常、非接触通信ユニット検出器と非接触通信ユニットとの通信性能において、非接触通信ユニット検出器とアンテナ素子との距離が支配的な要素となる。
【００５０】
アンテナ素子２０２は、切替え手段２０４を接点ｂ側に接続することによって、同調素子２０３と接続されるため、非接触通信ユニット１０４は非接触通信ユニット１０５の電磁誘導アンテナユニットとなる。
【００５１】
図１に示すように、筐体１０１が非接触通信ユニット検出器１１０側に位置するとき、非接触通信ユニット検出器１１０とアンテナ素子２０６との間にある携帯端末１００の金属部品（図示せず）は、非接触通信ユニット検出器１１０の磁界を遮蔽し通信性能の低下するように作用する。しかし、本発明の実施の形態１の携帯端末１００によれば、前述のとおり、非接触通信ユニット１０４が電磁誘導アンテナユニットとなるために、前記通信性能の低下を抑制することができる。
【００５２】
一方、筐体１０２が非接触通信ユニット検出器１１０側に位置するとき、非接触通信ユニット検出器１１０とアンテナ素子２０６とが隣接することとなり、さらに非接触通信ユニット検出器１１０とアンテナ素子２０６との間にある携帯端末１００の金属部品も少ないため、通信性能の低下が比較的少ない。
【００５３】
また、非接触通信ユニット１０４と非接触通信ユニット検出器１１０との非接触通信を行う場合は、アンテナ素子２０２は、切替え手段２０４を接点ａ側に接続することによって、非接触ＩＣチップ２０１と接続され、非接触通信ユニット検出器１１０と非接触通信を行う。
【００５４】
なお、２つの非接触通信ユニット１０４、１０５のうち、非接触通信ユニット１０５を鉄道の定期券等のように高い検出率が必要な非接触通信ユニットとし、また非接触通信ユニット１０４をクレジットカードや社員証等の比較的検出率が低くても良い非接触通信ユニットとするのが好ましい。
【００５５】
また、本発明の実施の形態１の携帯端末１では、非接触通信ユニット１０５を筐体１０２に、非接触通信ユニット１０４を筐体１０１にそれぞれ搭載しているが、非接触通信ユニット１０５を筐体１０１に、非接触通信ユニット１０４を筐体１０２にそれぞれ搭載しても良い。
【００５６】
なお、図２に示す非接触通信ユニット１０４において、アンテナ素子２０２のコンデンサの静電容量値と同調素子２０３の静電容量値とを調整する必要がある場合、非接触ＩＣチップ２０１の端子間に、別のコンデンサ（図示せず）を接続しても良い。
【００５７】
以上のように、本発明の実施の形態１の携帯端末１００によれば、２つの非接触通信ユニットを携帯端末に搭載する場合、電磁誘導アンテナユニットを追加実装することなく、非接触通信ユニット同士の電磁結合により通信性能の低下を抑制することができる。
【００５８】
（実施の形態２）
本発明の実施の形態２について、折畳形状の携帯端末を例にして図３を用いて説明する。
【００５９】
図３は、本発明の実施の形態２の携帯端末の断面図である。図４は、本発明の実施の形態２の携帯端末の非接触通信ユニットと他の非接触通信ユニットとの電気回路図である。
【００６０】
図３に示すように、本発明の実施の形態２の携帯端末３００は、非接触通信ユニット検出器１１０と非接触通信を行うものであって、第２の筐体１０２の内部に第２の非接触通信ユニット３０５を有している。その他の構成は、実施の形態１の携帯端末１００と同様の構成を有している。携帯端末１００と同様の構成については説明を省略する。
【００６１】
非接触通信ユニット３０５は、筐体１０１と筐体１０２とを閉じたときに、筐体１０２の内部に、筐体１０２の外側に位置するように備えられている。
【００６２】
次に、携帯端末３００の非接触通信ユニット１０４と非接触通信ユニット３０５との電気的接続について、図４を用いて説明する。
【００６３】
図４に示すように、第１の非接触通信ユニット１０４は、実施の形態１の携帯端末１００と同様の構成を有している。携帯端末１００と同様の構成については説明を省略する。
【００６４】
非接触通信ユニット３０５は、第２の非接触ＩＣチップ４０１等から構成される第２の非接触半導体素子、第２のアンテナ素子４０２、第２の同調素子４０３および第２の切替え手段４０４から構成されている。
【００６５】
非接触ＩＣチップ４０１は、非接触通信ユニット検出器１１０と非接触通信を行うものである。
【００６６】
アンテナ素子４０２は、平面状に導線が巻線されたループコイルと、このループコイルに並列に接続されたコンデンサとを有しており、非接触ＩＣチップ４０１が非接触通信ユニット検出器１１０と非接触通信するときのアンテナの役割をするものである。
【００６７】
同調素子４０３は、非接触通信ユニット１０４が非接触通信ユニット検出器１１０と非接触通信をするときに、アンテナ素子４０２と接続され、非接触通信ユニット３０５が非接触通信ユニット１０４の電磁誘導アンテナユニットとして作用するものである。ここで、電磁誘導アンテナユニットとは、アンテナ素子と同調素子とを接続した構成を有しており、電磁結合により非接触通信ユニットと非接触通信ユニット検出器との通信性能を向上することができる。
【００６８】
切替え手段４０４は、非接触通信ユニット１０４と非接触通信ユニット３０５とを切替えるものである。切替え手段４０４は、一端側がアンテナ素子４０２に接続されており、他端側がアンテナ素子４０２に対し非接触ＩＣチップ４０１と同調素子４０３とに切替え接続される。
【００６９】
そして、切替え手段２０４と切替え手段４０４は、連動して排他的な動作を行う。すなわち、切替え手段２０４が接点ａに接続されているときには切替え手段４０４は接点ｂに接続される。一方、切替え手段２０４が接点ｂに接続されているときには切替え手段４０４は接点ａに接続される。ここで、切替え手段２０４と切替え手段４０４は、ハードウェアとしてのスイッチを用いても良いし、ソフトウェアとしての設定で実現しても良い。
【００７０】
非接触通信ユニット１０４が非接触通信ユニット検出器１１０と非接触通信を行うときには、切替え手段２０４は接点ａ側に切替えられて、アンテナ素子２０２と非接触ＩＣチップ２０１とを接続し、切替え手段４０４は接点ｂ側に切替えられて、アンテナ素子４０２と同調素子４０３とを接続する。これらの接続により、非接触通信ユニット３０５は、非接触通信ユニット１０４の電磁誘導アンテナユニットとして作用して、非接触通信ユニット１０４と非接触通信ユニット検出器１１０との通信性能を向上させる。
【００７１】
一方、非接触通信ユニット３０５が非接触通信ユニット検出器１１０と非接触通信を行うときには、切替え手段２０４は接点ｂ側に切替えられて、アンテナ素子２０２と同調素子２０３とを接続し、切替え手段４０４は接点ａ側に切替えられて、アンテナ素子４０２と非接触ＩＣチップ４０１とを接続する。非接触通信ユニット１０４は、非接触通信ユニット３０５の電磁誘導アンテナユニットとして作用し、これにより非接触通信ユニット３０５と非接触通信ユニット検出器１１０との通信性能を向上させる。
【００７２】
次に、携帯端末３００を用いて、非接触通信ユニット１０４と非接触通信ユニット検出器１１０との非接触通信を行う場合について説明する。
【００７３】
通常、非接触通信ユニット検出器と非接触通信ユニットとの通信性能において、非接触通信ユニット検出器とアンテナ素子との距離が支配的な要素となる。
【００７４】
切替え手段２０４は、接点ａ側に切替えられて、アンテナ素子２０２と非接触ＩＣチップ２０１とを接続し、また切替え手段４０４は、接点ｂ側に切替えられて、アンテナ素子４０２と同調素子４０３とを接続する。これらの接続により、非接触通信ユニット３０５は、非接触通信ユニット１０４の電磁誘導アンテナユニットとなる。
【００７５】
筐体１０１が非接触通信ユニット検出器１１０側に位置するとき、非接触通信ユニット検出器１１０とアンテナ素子２０２とが隣接することとなり、さらに非接触通信ユニット検出器１１０とアンテナ素子２０２との間にある携帯端末３００の金属部品も少ないため、通信性能の低下が比較的少ない。
【００７６】
一方、筐体１０２が非接触通信ユニット検出器１１０側に位置するとき、非接触通信ユニット検出器１１０とアンテナ素子２０２との間にある携帯端末３００の金属部品は、非接触通信ユニット検出器１１０の磁界を遮蔽し通信性能の低下するように作用する。しかし、本発明の実施の形態２の携帯端末３００によれば、前述のとおり、非接触通信ユニット３０５が電磁誘導アンテナユニットとなり、前記通信性能の低下を抑制することができる。
【００７７】
次に、携帯端末３００の非接触通信ユニット３０５と非接触通信ユニット検出器１１０との非接触通信を行う場合について説明する。
【００７８】
切替え手段２０４は、接点ｂ側に切替えられて、アンテナ素子２０２と同調素子２０３とを接続し、また切替え手段４０４は、接点ａ側に切替えられて、アンテナ素子４０２と非接触ＩＣチップ４０１とを接続する。これらの接続により、非接触通信ユニット１０４は、非接触通信ユニット３０５の電磁誘導アンテナユニットとなる。
【００７９】
筐体１０２が非接触通信ユニット検出器１１０側に位置するとき、非接触通信ユニット検出器１１０とアンテナ素子４０２とが隣接することとなり、さらに非接触通信ユニット検出器１１０とアンテナ素子４０２との間にある携帯端末３００の金属部品も少ないため、通信性能の低下が比較的少ない。
【００８０】
一方、筐体１０１が非接触通信ユニット検出器１１０側に位置するとき、非接触通信ユニット検出器１１０とアンテナ素子４０２との間にある携帯端末３００の金属部品は、非接触通信ユニット検出器１１０の磁界を遮蔽し通信性能の低下するように作用する。しかし、本発明の実施の形態２の携帯端末３００によれば、前述のとおり、非接触通信ユニット１０４が電磁誘導アンテナユニットとなり、通信性能を向上させるため、通信性能の低下を抑制することができる。
【００８１】
なお、図４では、非接触通信ユニット１０４、４０２に使用される同調素子は別々のものとしているが、同一のものを共有し、非接触通信機能に関する部品の実装量をさらに減少しても良い。
【００８２】
なお、図４に示す非接触通信ユニット１０４において、アンテナ素子２０２のコンデンサの静電容量値と同調素子２０３の静電容量値とを調整する必要がある場合、非接触ＩＣチップ２０１の端子間に、別のコンデンサ（図示せず）を接続しても良い。非接触通信ユニット３０５においても、アンテナ素子４０２のコンデンサの静電容量値と同調素子４０３の静電容量値とを調整する必要がある場合、非接触ＩＣチップ４０１の端子間に、別のコンデンサ（図示せず）を接続しても良い。
【００８３】
以上のように、本発明の実施の形態２の携帯端末３００によれば、２つの非接触通信ユニットの両方を高い検出率が必要な非接触通信ユニットとして実現することができる。また、２つの非接触通信ユニットを携帯端末に搭載する場合、電磁誘導アンテナユニットを追加実装することなく、非接触通信ユニット同士の電磁結合による通信性能の低下を抑制させることができる。
【００８４】
（実施の形態３）
本発明の実施の形態３について、折畳形状の携帯端末を例にして図５を用いて説明する。
【００８５】
図５は、本発明の実施の形態３の携帯端末の断面図である。
【００８６】
図５に示すように、本発明の実施の形態３の携帯端末５００は、第１の筐体５０１、第２の筐体５０２およびヒンジ部５０３を有している。第１の筐体５０１は、操作手段（図示せず）を備え、内部に第１の非接触通信ユニット５０４および第２の非接触通信ユニット５０５を有している。また、第２の筐体５０２は、表示手段（図示せず）を備えている。
【００８７】
ヒンジ部５０３は、筐体５０１と筐体５０２とを連結するものである。
【００８８】
非接触通信ユニット５０４および非接触通信ユニット５０５は、筐体５０１と筐体５０２とを閉じたときに、筐体５０１の内部に、筐体５０１の外側に位置するように備えられている。
【００８９】
このような携帯端末５００は、非接触通信ユニット検出器１１０と非接触通信を行う。
【００９０】
携帯端末５００の電気的接続は、図２に示す電気回路、または図４に示す電気回路を採用する。ここで、図２に示す電気回路を採用する場合には、非接触通信ユニット１０４、１０５を、非接触通信処理ユニット５０４、５０５にそれぞれ置き換える。図４に示す電気回路を採用する場合には、非接触通信ユニット１０４、３０５を、非接触通信処理ユニット５０４、５０５にそれぞれ置き換える。
【００９１】
本実施の形態３の携帯端末５００によれば、２つの非接触通信ユニット５０４、５０５を筐体５０１内に備えることにより、実施の形態１、２の携帯端末の場合に比して、筐体５０２の厚さを薄くすることができる。また、非接触通信を行わない非接触通信ユニットを電磁誘導アンテナユニットとして使用するため、通信性能の低下を抑えることができる。
【００９２】
なお、非接触通信ユニット５０４および非接触通信ユニット５０５を、筐体５０１の方ではなく、筐体５０２の方に搭載しても同様の効果が得られる。ただし、この場合には、筐体５０１と筐体５０２との厚さの関係を上記とは逆の関係にする。
【００９３】
以上のように、本発明の実施の形態３の携帯端末５００によれば、複数の非接触通信ユニットを携帯端末に搭載する場合、電磁誘導アンテナユニットを追加実装することなく、非接触通信ユニット同士の電磁結合による通信性能の低下を抑制させることができる。さらに、筐体内に非接触通信ユニット１つ分の厚さで２つの非接触通信ユニットを備えることができるので、携帯端末の厚さを薄型化することができる。
【００９４】
なお、本発明の実施の形態３においては、筐体５０１または筐体５０２内に非接触通信ユニット５０４、５０５を並置する場合について示したが、非接触通信ユニット５０４のアンテナ素子の内側に、非接触通信ユニット５０５のアンテナ素子を配置しても良い。
【００９５】
（実施の形態４）
本発明の実施の形態４について、直線形状の携帯端末を例にして図６を用いて説明する。
【００９６】
図６は、本発明の実施の形態４の携帯端末の断面図である。
【００９７】
図６に示すように、本発明の実施の形態４の携帯端末６００は、筐体６０１を有している。筐体６０１は、表示手段６０４と操作手段６０５を備え、内部に第１の非接触通信ユニット６０２および第２の非接触通信ユニット６０３を備えている。
【００９８】
非接触通信ユニット６０２は、筐体６０１内部に、表示手段６０４側に位置するように備えられている。
【００９９】
また、非接触通信ユニット６０３は、筐体６０１内部に、非接触通信ユニット６０３と対向して表示手段６０４とは反対側に位置するように備えられている。
【０１００】
このような携帯端末６００は、非接触通信ユニット検出器１１０と非接触通信を行う。
【０１０１】
携帯端末６００の電気的接続は、図２に示す電気回路、または図４に示す電気回路を採用する。ここで、図２に示す電気回路を採用する場合には、非接触通信ユニット１０４、１０５を、非接触通信処理ユニット６０２、６０３にそれぞれ置き換える。図３に示す電気回路を採用する場合には、非接触通信ユニット１０４、３０５を、非接触通信処理ユニット６０２、６０３にそれぞれ置き換える。
【０１０２】
本実施の形態４の携帯端末６００によれば、実施の形態１または実施の形態２の携帯端末と同様の効果を得ることができる。
【０１０３】
以上のように、本発明の実施の形態４の携帯端末６００によれば、２つの非接触通信ユニットを携帯端末に搭載する場合、電磁誘導アンテナユニットを追加実装することなく、非接触通信ユニット同士の電磁結合による通信性能の低下を抑制することができる。
【０１０４】
（実施の形態５）
本発明の実施の形態５について、直線形状の携帯端末を例にして図７を用いて説明する。
【０１０５】
図７は、本発明の実施の形態５の携帯端末の断面図である。
【０１０６】
図７に示すように、本発明の実施の形態５の携帯端末７００は、筐体６０１内における非接触通信ユニット６０２、６０３の配置が実施の形態４とは異なっている。すなわち、筐体６０１の内部に、一方の外面側に位置するように、非接触通信ユニット６０２、６０３が備えられている。
【０１０７】
なお、接触通信ユニット６０２、６０３は、筐体６０１の内部に、一方の外面側ではなく、他方の外面側に備えられても良い。
【０１０８】
以上のように、本発明の実施の形態５の携帯端末７００によれば、２つの非接触通信ユニットを携帯端末に搭載する場合、電磁誘導アンテナユニットを追加実装することなく、非接触通信ユニット同士の電磁結合による通信性能の低下を抑制させることができる。
【０１０９】
（実施の形態６）
本発明の実施の形態６について、折畳形状の携帯端末を例にして図８を用いて説明する。
【０１１０】
図８は、本発明の実施の形態６の携帯端末の側面図である。
【０１１１】
図８に示すように、本発明の実施の形態６の携帯端末８００は、第１の筐体８０１、第２の筐体８０２およびヒンジ部８０３から構成されている。第１の筐体８０１は、操作手段（図示せず）を備え、側面に機械式スイッチであるスライド式スイッチ８０４を有している。スライド式スイッチ８０４は、筐体８０１の側面から操作できるように構成されており、内蔵された２個以上の非接触通信ユニットを切替えることが可能となる。なお、スライド式スイッチ８０４の近傍の目盛り１、２は非接触通信ユニットの選択状態を示している。目盛り１、２により、どの非接触通信ユニットが選択されているかを視覚的に確認することができる。この例では、非接触通信ユニット２が選択された場合を示している。
【０１１２】
図９は、機械式スイッチとして押しボタン式スイッチを用いた携帯電話の場合の例である。
【０１１３】
図９に示すように、本発明の実施の形態６の携帯端末９００は、第１の筐体９０１、第２の筐体９０２およびヒンジ部９０３から構成されている。筐体９０１は、操作手段（図示せず）を備え、側面に機械式スイッチであるボタンスイッチ９０４を有している。
【０１１４】
機械式スイッチをボタンスイッチ９０４で構成することにより、ボタンスイッチ９０４を押下しているときは第１の非接触通信ユニットが非接触通信可能となり、一方、ボタンスイッチ８０４を押下していないときは第２の非接触通信ユニットが非接触通信可能となるような動作が可能となる。
【０１１５】
機械式スイッチをボタンスイッチ９０４で構成することにより、携帯端末９００で非接触通信を行うときにユーザが簡単にかつ意識的に非接触通信ユニットを切替え操作することが可能となる。
【０１１６】
なお、機械式スイッチをボタンスイッチ９０４で構成した場合、ボタンスイッチ９０４を押下するたびに非接触通信ユニットが切替えられるようにすることも可能である。
【０１１７】
以上のように、本発明の実施の形態６の携帯端末８００、９００によれば、複数の非接触通信ユニットを携帯端末に搭載する場合、非接触通信ユニット切替え用の機械式スイッチを設けることで、複数の非接触通信ユニットを機械的に確実に切替えることが可能となる。
【０１１８】
（実施の形態７）
本発明の実施の形態７について、携帯端末を例にして図１０および図１１を用いて説明する。
【０１１９】
図１０は複数の非接触通信ユニットを操作者の使用場面に応じて設定するユーザインターフェースの一例として、表示手段１００１に非接触通信ユニット選択用のメニュー１００２を表示するようにした携帯端末１０００を示す。操作手段である操作ボタン１００３を操作することで、非接触通信ユニットの選択を視覚的に行うことができる。メニュー１００２で、非接触通信ユニットのどれかを選択することで、非接触通信可能な非接触通信ユニットを設定することができる。図１０は、非接触通信ユニット２を選択した場合の設定例を示している。
【０１２０】
次に、図１１に折畳形状の携帯端末の例を示す。図１１は複数の非接触通信ユニットを設定するユーザインターフェースの一例として、折畳んだときに目視可能な表示手段１１０１に表示される非接触通信ユニット選択用のメニュー１１０２を有する携帯端末１１００を示す。操作手段である操作ボタン１１０３を操作することで非接触通信ユニットの選択を視覚的に行うことができる。メニュー１１０２で、非接触通信ユニットのどれかを選択することで、非接触通信可能な非接触通信ユニットを設定することができる。図１１に示す設定例は、非接触通信ユニット２を選択した場合である。
【０１２１】
以上のように、本発明の実施の形態７の携帯端末１０００、１１００によれば、複数の非接触通信ユニットの切替を視覚的に確認しながら行うことが可能となる。
【０１２２】
（実施の形態８）
図１２は携帯端末１２００と非接触通信ユニット検出器１１０とが非接触通信を行うときの例を示す。携帯端末１２００は、折畳んだときに目視可能な個所に搭載された表示手段１２０１を有している。
【０１２３】
この構成によれば、非接触通信ユニット検出器１１０に対し、操作者が携帯端末１２００を近づけたときに、どの非接触通信ユニットが選択されているかを表示手段１２０１に表示メッセージ１２０２を表示して報知することができる。また、音を発する音鳴動手段（図示せず）による鳴り分けで、どの非接触通信ユニットが選択されているかの状態を報知することも可能である。
【０１２４】
なお、携帯端末１２００と非接触通信ユニット検出器１１０との非接触通信の結果や電波状況等を報知することも可能である。
【０１２５】
以上のように、本発明の実施の形態８の携帯端末１２００によれば、視覚的に確認しながら非接触通信ユニット検出器１１０との非接触通信を行うことが可能となる。
【０１２６】
なお、第１の筐体と第２の筐体とを連結した携帯端末として、上記実施の形態では、折畳形状を有する場合について説明したが、本発明は第１の筐体と第２の筐体とがスライド式の構成や、回転式の構成を有する場合等についても実施することができる。
【産業上の利用可能性】
【０１２７】
本発明にかかる非接触通信装置は、電磁誘導アンテナユニットを別途追加実装することなく非接触通信ユニット間での電磁結合による通信性能の低下を抑止することができ、さらに少ない実装面積で通信性能を向上させることができるという効果を有し、複数の非接触通信ユニットを具備する非接触通信機能付携帯端末等として有用である。
【図面の簡単な説明】
【０１２８】
【図１】本発明の実施の形態１における携帯端末の断面図
【図２】本発明の実施の形態１における携帯端末の電気回路図
【図３】本発明の実施の形態２における携帯端末の断面図
【図４】本発明の実施の形態２における携帯端末の電気回路図
【図５】本発明の実施の形態３における折畳形状を有する携帯端末の断面図
【図６】本発明の実施の形態４における直線形状を有する携帯端末の断面図
【図７】本発明の実施の形態５における直線形状を有する携帯端末の断面図
【図８】本発明の実施の形態６におけるスライド式スイッチを有する携帯端末の正面図
【図９】本発明の実施の形態６における押しボタン式スイッチを有する携帯端末の正面図
【図１０】本発明の実施の形態７における携帯端末のメニュー画面例を示す図
【図１１】本発明の実施の形態７における折畳形状を有する携帯端末のメニュー画面例を示す図
【図１２】本発明の実施の形態８における携帯端末を使用したときの画面表示例を示す図
【符号の説明】
【０１２９】
１００  携帯端末
１０１  第１の筐体
１０２  第２の筐体
１０４  第１の非接触通信ユニット
１０５  第２の非接触通信ユニット
２０１  第１の非接触ＩＣチップ
２０２  第１のアンテナ素子
２０３  第１の同調素子
２０４  第１の切替え手段
２０５  第２の非接触ＩＣチップ
２０６  第２のアンテナ素子
３００  携帯端末
３０５  第２の非接触通信ユニット
４０１  第２の非接触ＩＣチップ
４０２  第２のアンテナ素子
４０３  第２の同調素子
４０４  第２の切替え手段
５００  携帯端末
５０１  第１の筐体
５０２  第２の筐体
５０４  第１の非接触通信ユニット
５０５  第２の非接触通信ユニット
６００  携帯端末
６０１  筐体
６０２  第１の非接触通信ユニット
６０３  第２の非接触通信ユニット
６０４  表示手段
６０５  操作手段
７００  携帯端末
８００  携帯端末
８０１  第１の筐体
８０２  第２の筐体
８０４  スライド式スイッチ
９００  携帯端末
９０１  第１の筐体
９０２  第２の筐体
９０４  ボタンスイッチ
１０００  携帯端末
１００１  表示手段
１００２  非接触通信ユニット選択用のメニュー
１００３  操作ボタン
１１００  携帯端末
１１０１  表示手段
１１０２  非接触通信ユニット選択用のメニュー
１１０３  操作ボタン
１２００  携帯端末
１２０１  表示手段
１２０２  表示メッセージ
【図１】
2006333192.tif 000003
【図２】
2006333192.tif 000004
【図３】
2006333192.tif 000005
【図４】
2006333192.tif 000006
【図５】
2006333192.tif 000007
【図６】
2006333192.tif 000008
【図７】
2006333192.tif 000009
【図８】
2006333192.tif 000010
【図９】
2006333192.tif 000011
【図１０】
2006333192.tif 000012
【図１１】
2006333192.tif 000013
【図１２】
2006333192.tif 000014